(57)【要約】【課題】  インシュレータに導体を一部露出させて埋設し、その露出部を固定コンタクトとするものにおいて、その固定コンタクトに段差を生じず、その段差を因とする接触不良の問題を生じることがないようにする。【解決手段】  導体１５は平坦状で、その一部をインシュレータ１１の一部に形成した凹部１４から露出させることにより、固定コンタクト１６とする。これにより、導体１５を折曲する必要がなく、折曲誤差を生じないため、固定コンタクト１６に段差を生じず、その段差を因とする接触不良の問題を生じることがないようにできる。【選択図】  図１
2006318665.tif 000002
【特許請求の範囲】
【請求項１】
インシュレータに導体を一部露出させて埋設し、その露出部を可動コンタクトと対応する固定コンタクトとするものにおいて、
インシュレータの一部に凹部を形成し、平坦状を成す導体の一部をその凹部から露出させて前記固定コンタクトとしたことを特徴とするスイッチ装置。
【発明の詳細な説明】
【技術分野】
【０００１】
本発明は、固定コンタクトの形成構造を改良したスイッチ装置に関する。
【背景技術】
【０００２】
従来より、スイッチ装置においては、固定コンタクトを配線基板の配線パターンで形成したものが供されている。しかしながら、配線基板はコスト高であり、それに代わるものとして、図４ないし図６に示すものが供されている。
この図４ないし図６に示すものは、インシュレータ１に導体２を一部露出させて埋設し、その露出部を可動コンタクト３と対応する固定コンタクト４としたものであり、導体２の他の部分は、もっぱら絶縁のためにインシュレータ１中に埋設している。このため、導体２は、その露出部分の両側（図４中、左右）で、該露出部分が他の部分より一段高くなる折曲Ｍをしている。
【０００３】
なお、図示例の場合、可動コンタクト３はゴムなど弾性材から成るシート５の隆起部５ａの下面に固着したもの（いわゆるゴム接点）であり、押ボタン６でプッシャ７を介して押圧されることにより、２つの固定コンタクト４（図５参照）に接触して、それら２つの固定コンタクト４間を橋絡するようになっている。
【発明の開示】
【発明が解決しようとする課題】
【０００４】
上記構成のものの場合、固定コンタクトを配線基板の配線パターンで形成したものよりコストを低く抑えることができる。しかしながら、導体２を、露出部分の両側で、該露出部分が他の部分より一段高くなる折曲Ｍをする、その折曲誤差のために、２つの固定コンタクト４間では図６に示す段差Ｓを生じやすく、この段差Ｓのために、２つの固定コンタクト４に対する可動コンタクト３の接触が、一方にのみ接触して、他方には接触しないことで、不確実となる、いわゆる接触不良を生じる可能性を有していた。
【０００５】
本発明は上述の事情に鑑みてなされたものであり、従ってその目的は、インシュレータに導体を一部露出させて埋設し、その露出部を固定コンタクトとするものにおいて、その固定コンタクトに段差を生じず、その段差を因とする接触不良の問題を生じることないスイッチ装置を提供するにある。
【課題を解決するための手段】
【０００６】
上記目的を達成するために、本発明のスイッチ装置は、インシュレータの一部に凹部を形成し、平坦状を成す導体の一部をその凹部から露出させて固定コンタクトとしたことを特徴とする。
【発明の効果】
【０００７】
上記手段によれば、導体は平坦状で、その一部をインシュレータの一部に形成した凹部から露出させることにより固定コンタクトとするから、導体を折曲する必要がなく、折曲誤差を生じない。よって、固定コンタクトに段差を生じず、その段差を因とする接触不良の問題を生じることがないようにできる。
【発明を実施するための最良の形態】
【０００８】
以下、本発明の一実施例（一実施形態）につき、図１ないし図３を参照して説明する。
まず、図１及び図２には、スイッチ装置の全体を示しており、インシュレータ１１と、このインシュレータ１１に被合したボディ１２、及びこのボディ１２に取付けた押ボタン１３とで、全体の外殻を組成している。
【０００９】
インシュレータ１１は、詳細には、上面が開放する箱形を成しており、その底部のほゞ中央に凹部１４を形成し、この凹部１４、特にはその底面から２つ（図２参照）の導体１５の各一部を露出させ、この露出部により固定コンタクト１６を構成している。導体１５は、いずれも全体に平坦状を成しており、上記露出部（固定コンタクト１６部分）以外の他の部分は、もっぱら絶縁のため、インシュレータ１１中に埋設している（図１参照）。
なお、インシュレータ１１は、合成樹脂を型成形して作製したもので、その折りに２つの導体１５をインサートし、その状態での、凹部１４を含むインシュレータ１１の成形によって、凹部１４の底面から導体１５の上記各一部を露出させている。
【００１０】
又、導体１５は、インシュレータ１１の後面部に形成したコネクタハウジング部１７（図１参照）の内部に突出させており、その突出部をターミナル１８としている。すなわち、導体１５は、固定コンタクト１６とターミナル１８の両方に共用としている。なお、ターミナル１８には、図示しない相手コネクタが接続されるようになっている。
そして、インシュレータ１１の底面上には、ゴムなど弾性材から成るシート１９を被着しており、このシート１９の中央部にあらかじめ隆起部１９ａを形成し、この隆起部１９ａの下面に固着した可動コンタクト２０（いわゆるゴム接点）を上記固定コンタクト１６に対応、特には所定距離離間させて対向させている。
【００１１】
一方、隆起部１９ａの上面にはプッシャ２１を載置しており、これの上面に前記押ボタン１３が下面を当接させている。なお、押ボタン１３は周囲部に薄肉の弾性部１３ａを有しており、押ボタン１３が上方より押圧されたときに、その弾性部１３ａでたわんでプッシャ２１を押し、更にプッシャ２１が上記シート１９の隆起部１９ａを押して、可動コンタクト２０を固定コンタクト１６に接触させることにより、それら２つの固定コンタクト１６間を橋絡するようになっている。
【００１２】
このように本構成のものでは、導体１５は平坦状で、その一部をインシュレータ１１の一部に形成した凹部１４から露出させることにより、固定コンタクト１６とするもので、それにより、導体１５を従来のもののようには折曲する必要がなく、折曲誤差を生じない。よって、固定コンタクト１６に段差を生じず、その段差を因とする可動コンタクト２０の接触不良の問題を生じることがないようにできる。
【００１３】
なお、スイッチ装置としては、固定コンタクト１６に可動コンタクト２０が対向して接離する上述の対向タイプに限られず、スライドして接離するスライドタイプであっても良い。
そのほか、本発明は上記し且つ図面に示した実施例にのみ限定されるものではなく、要旨を逸脱しない範囲内で適宜変更して実施し得る。
【図面の簡単な説明】
【００１４】
【図１】本発明の一実施例を示す全体の縦断側面図
【図２】全体の縦断正面図
【図３】図２のＡ部分の拡大図
【図４】従来例を示す図１相当図
【図５】図２相当図
【図６】図５のＢ部分の拡大図（図３相当図）
【符号の説明】
【００１５】
図面中、１１はインシュレータ、１４は凹部、１５は導体、１６は固定コンタクト、２０は可動コンタクトを示す。
【図１】
2006318665.tif 000003
【図２】
2006318665.tif 000004
【図３】
2006318665.tif 000005
【図４】
2006318665.tif 000006
【図５】
2006318665.tif 000007
【図６】
2006318665.tif 000008